(57)【要約】【課題】プロジェクタの小型化を可能にする、ランプユニット交換時の感電防止構造を提案する。【解決手段】ランプユニットによりランプ交換するプロジェクタにおいて、ランプユニットｆを抜き取ったときは、ランプソケットｅの前面をソケットカバーｉにより覆いまたはランプソケットｅの先端を横向きにそらしてランプソケットｅの端子ｗを覆い、ランプユニットｆを装着するときは、ソケットカバーｉをランプソケットｅの前面から移動しまたはランプソケットｅの先端を前面向きに戻してランプソケットｅへのランププラグｈの挿着を可能にする。【選択図】  図４
2004264387.tif 000002
【特許請求の範囲】
【請求項１】
ランプユニットによりランプ交換するプロジェクタにおいて、
ランプユニットを抜き取ったときは、ランプソケットの前面をソケットカバーにより覆いまたはランプソケットの先端を横向きにそらしてランプソケットの端子を覆い、
ランプユニットを装着するときは、ソケットカバーをランプソケットの前面から移動しまたはランプソケットの先端を前面向きに戻してランプソケットへのランププラグの挿着を可能にしたことを特徴とするプロジェクタ。
【請求項２】
ランプカバーの内側に本体側のランプソケットに挿着されるランププラグとランプとを備えたランプユニットを本体に着脱自在に装着するプロジェクタにおいて、
本体側に枢着されてランプソケットの前面を覆うとともにランププラグの挿入方向と垂直な平面内に後退可能なソケットカバーと、
このソケットカバーを後退位置からランププラグの前面を覆う位置に押圧付勢する付勢手段と、
ランププラグの挿入方向前端に設けられ先端の幅が狭くなるように傾斜した辺を有する傾斜板と、
前記ソケットカバーの端部に設けられランプユニット装着時に前進してきた前記傾斜板と当接してソケットカバーを後退させる当接部と、
を備え、ランプユニットを抜き取るとソケットカバーがランプソケットの前面に移動してランプソケットを覆い、ランプユニットを挿入すると傾斜板が当接部に当接してソケットカバーをランプソケットの前面から後退させてランププラグをランプソケットに挿着可能にしたことを特徴とするプロジェクタ。
【請求項３】
ランプカバーの内側に本体側のランプソケットに挿着されるランププラグとランプとを備えたランプユニットを本体に着脱自在に装着するプロジェクタにおいて、
本体側に枢着されてランプソケットの前面を覆うとともにランププラグの挿入方向前方へ回動可能なソケットカバーと、
このソケットカバーを前方の回動位置からランププラグの前面を覆う位置に押圧付勢する付勢手段と、
ランププラグの挿入方向前端に設けられ先端の幅が狭くなるように傾斜した辺を有する傾斜板と、
可撓性を有する部材により形成され、基端部がランプソケットの根本近傍に支持されるとともに、先端部に前記ソケットカバーがランププラグの前面位置から後退しないようにソケットカバーの端部に係合する第１の爪およびランプユニット装着時に前進してきた傾斜板に当接して前記第１の爪の係合が解除される方向に先端部を湾曲移動させる第２の爪を形成したロック板と、
を備え、ランプユニットを抜き取るとソケットカバーがランプソケットの前面に移動してランプソケットを覆い、ランプユニットを挿入すると傾斜板が第２の爪に当接して第１の爪とソケットカバーの係合を解除しソケットカバーのランプソケットの前面からの後退を可能にしてランププラグをランプソケットに挿着可能にしたことを特徴とするプロジェクタ。
【請求項４】
ランプカバーの内側に本体側のランプソケットに挿着されるランププラグとランプとを備えたランプユニットを本体に着脱自在に装着するプロジェクタにおいて、
本体側に往復動自在に支持されてランプソケットの前面を覆うとともにランププラグの挿入方向と垂直な平面に後退可能なソケットカバーと、
このソケットカバーを後退位置からランププラグの前面を覆う位置に押圧付勢する付勢手段と、
ランププラグの挿入方向前端に設けられ先端の幅が狭くなるように傾斜した辺を有する傾斜板と、
前記ソケットカバーに設けられランプユニット装着時に前進してきた前記傾斜板と当接してソケットカバーを後退させる当接部と、
を備え、ランプユニットを抜き取るとソケットカバーがランプソケットの前面に移動してランプソケットを覆い、ランプユニットを挿入すると傾斜板が当接部に当接してソケットカバーをランプソケットの前面から後退させてランププラグをランプソケットに挿着可能にしたことを特徴とするプロジェクタ。
【請求項５】
ランプカバーの内側に本体側のランプソケットに挿着されるランププラグとランプとを備えたランプユニットを本体に着脱自在に装着するプロジェクタにおいて、
本体側に枢着されるとともにランププラグの挿入方向前面位置とランププラグの挿入が不可能な方向の位置との間を回動自在に支持されたランプソケットと、
このランプソケットをランププラグの挿入方向前面位置からランププラグの挿入が不可能な方向の位置に押圧付勢する付勢手段と、
ランププラグの挿入方向前端に設けられ先端の幅が狭くなるように傾斜した辺を有する傾斜板と、
前記ランプソケットの前端部に設けられランプユニット装着時に前進してきた前記傾斜板と当接してランプソケットをランププラグ挿入方向前面位置に回動させる当接部と、
を備え、ランプユニットを抜き取るとランプソケットが挿入不可能な方向の位置へ回動し、ランプユニットを挿入すると傾斜板が当接部に当接してランプソケットをランププラグ挿入方向前面位置に回動させてランププラグをランプソケットに挿着可能にしたことを特徴とするプロジェクタ。
【請求項６】
請求項１乃至５のいずれかのプロジェクタにおいて、
ランプユニットの装着位置近傍の本体側に設置されてランプ電源回路を開閉する常時開型の安全スイッチと、
ランプユニット側に設置されてランプユニット装着時に前記安全スイッチの接点操作部に当接して安全スイッチを閉成しランプユニットの非装着時に安全スイッチの接点操作部から離間して安全スイッチを開成するスイッチ作動子と、
を備えたことを特徴とするプロジェクタ。
【発明の詳細な説明】
【０００１】
【発明の属する技術分野】
本発明はプロジェクタに関し、詳しくは、光源ランプを収納したランプユニットをプロジェクタ本体に着脱自在に装着する際の感電防止の構造に関する。
【０００２】
【従来の技術】
従来、ランプユニットを交換する際の感電を防止する構造を備えたプロジェクタがある（例えば、特許文献１参照。）。このプロジェクタは、ランプユニットの交換操作の前に電源プラグを抜く操作を必要とする構成である。
また、他の方法として図２７に示すプロジェクタがある。これは、ランプカバーｇを機器の底筐体ａから外すと、安全スイッチｄが切られてランプｆに電源を供給しているソケットｅの端子ｗに電流が流れないようにしたものである。
【０００３】
【特許文献１】
特開平１１−３８５０２公報  （第３，４頁、図１、図２）
【０００４】
【発明が解決しようとする課題】
しかしかながら、前者はランプユニットの交換操作の前に電源プラグを抜く操作を必要とする構成であり、操作が煩わしいのと電源プラグを抜く操作を忘れ感電するおそれがあるという問題があった。
また、後者は安全スイッチｄが万一故障するとユーザが感電する問題があり、しかも安全スイッチｄには一次電源が供給されるのと両切りタイプであるためスイッチ自体が大型となり、小型軽量化の要望の強いプロジェクタには不向きであった。また、取扱説明書では、ランプユニットの交換の際、電源プラグを抜いてから作業をするように記載がされているが、それが実行される保証がないという問題もあった。
そこで本発明は、プロジェクタにおけるランプユニットの交換の際に、電源プラグを抜く操作を必要としない、小型の感電防止の構造を提案することを課題とした。
【０００５】
【課題を解決するための手段】
上記課題を解決するために、請求項１の発明に係るプロジェクタは、ランプユニットによりランプ交換するものにおいて、ランプユニットを抜き取ったときは、ランプソケットの前面をソケットカバーにより覆いまたはランプソケットの先端を横向きにそらしてランプソケットの端子を覆う。また、ランプユニットを装着するときは、ソケットカバーをランプソケットの前面から移動しまたはランプソケットの先端を前面向きに戻してランプソケットへのランププラグの挿着を可能にする。
【０００６】
請求項２の発明に係るプロジェクタは、ランプカバーの内側に本体側のランプソケットに挿着されるランププラグとランプとを備えたランプユニットを本体に着脱自在に装着するものにおいて、本体側に枢着されてランプソケットの前面を覆うとともにランププラグの挿入方向と垂直な平面内に後退可能なソケットカバーと、このソケットカバーを後退位置からランププラグの前面を覆う位置に押圧付勢する付勢手段と、ランププラグの挿入方向前端に設けられ先端の幅が狭くなるように傾斜した辺を有する傾斜板と、前記ソケットカバーの端部に設けられランプユニット装着時に前進してきた前記傾斜板と当接してソケットカバーを後退させる当接部とを備える。それにより、ランプユニットを抜き取るとソケットカバーがランプソケットの前面に移動してランプソケットを覆い、ランプユニットを挿入すると傾斜板が当接部に当接してソケットカバーをランプソケットの前面から後退させてランププラグをランプソケットに挿着可能にする。
【０００７】
請求項３の発明に係るプロジェクタは、ランプカバーの内側に本体側のランプソケットに挿着されるランププラグとランプとを備えたランプユニットを本体に着脱自在に装着するものにおいて、本体側に枢着されてランプソケットの前面を覆うとともにランププラグの挿入方向前方へ回動可能なソケットカバーと、このソケットカバーを前方の回動位置からランププラグの前面を覆う位置に押圧付勢する付勢手段と、ランププラグの挿入方向前端に設けられ先端の幅が狭くなるように傾斜した辺を有する傾斜板と、可撓性を有する部材により形成され、基端部がランプソケットの根本近傍に支持されるとともに、先端部に前記ソケットカバーがランププラグの前面位置から後退しないようにソケットカバーの端部に係合する第１の爪およびランプユニット装着時に前進してきた傾斜板に当接して前記第１の爪の係合が解除される方向に先端部を湾曲移動させる第２の爪を形成したロック板とを備える。それにより、ランプユニットを抜き取るとソケットカバーがランプソケットの前面に移動してランプソケットを覆い、ランプユニットを挿入すると傾斜板が第２の爪に当接して第１の爪とソケットカバーの係合を解除しソケットカバーのランプソケットの前面からの後退を可能にしてランププラグをランプソケットに挿着可能にする。
【０００８】
請求項４の発明に係るプロジェクタは、ランプカバーの内側に本体側のランプソケットに挿着されるランププラグとランプとを備えたランプユニットを本体に着脱自在に装着するものにおいて、本体側に往復動自在に支持されてランプソケットの前面を覆うとともにランププラグの挿入方向と垂直な平面に後退可能なソケットカバーと、このソケットカバーを後退位置からランププラグの前面を覆う位置に押圧付勢する付勢手段と、ランププラグの挿入方向前端に設けられ先端の幅が狭くなるように傾斜した辺を有する傾斜板と、前記ソケットカバーに設けられランプユニット装着時に前進してきた前記傾斜板と当接してソケットカバーを後退させる当接部とを備える。それにより、ランプユニットを抜き取るとソケットカバーがランプソケットの前面に移動してランプソケットを覆い、ランプユニットを挿入すると傾斜板が当接部に当接してソケットカバーをランプソケットの前面から後退させてランププラグをランプソケットに挿着可能にする。
【０００９】
請求項５の発明に係るプロジェクタは、ランプカバーの内側に本体側のランプソケットに挿着されるランププラグとランプとを備えたランプユニットを本体に着脱自在に装着するものにおいて、本体側に枢着されるとともにランププラグの挿入方向前面位置とランププラグの挿入が不可能な方向の位置との間を回動自在に支持されたランプソケットと、このランプソケットをランププラグの挿入方向前面位置からランププラグの挿入が不可能な方向の位置に押圧付勢する付勢手段と、ランププラグの挿入方向前端に設けられ先端の幅が狭くなるように傾斜した辺を有する傾斜板と、前記ランプソケットの前端部に設けられランプユニット装着時に前進してきた前記傾斜板と当接してランプソケットをランププラグ挿入方向前面位置に回動させる当接部とを備える。それにより、ランプユニットを抜き取るとランプソケットが挿入不可能な方向の位置へ回動し、ランプユニットを挿入すると傾斜板が当接部に当接してランプソケットをランププラグ挿入方向前面位置に回動させてランププラグをランプソケットに挿着可能にする。
【００１０】
請求項６の発明に係るプロジェクタは、請求項１乃至５のいずれかのプロジェクタにおいて、ランプユニットの装着位置近傍の本体側に設置されてランプ電源回路を開閉する常時開型の安全スイッチと、ランプユニット側に設置されてランプユニット装着時に前記安全スイッチの接点操作部に当接して安全スイッチを閉成しランプユニットの非装着時に安全スイッチの接点操作部から離間して安全スイッチを開成するスイッチ作動子とを備える。それにより、機構的な感電防止の対策に加えて、電気的な安全対策が施され、ランプ交換時の感電防止が確実になる。
【００１１】
【発明の実施の形態】
以下、図に基づいて本発明の実施形態を説明する。図１〜図７は請求項２の発明に係るプロジェクのランプユニットの装着部を示し、図１はランプユニットを装着した状態の平面図、図２はランプユニットを抜き取った状態の平面図、図３はランプユニットを装着した状態の平面図、図４はランプユニットの装着直前の状態を示す図３のＹ−Ｙ線断面図、図５はランプユニットの装着状態を示す図３のＹ１−Ｙ１線断面図、図６はランプユニットの装着状態を示す図３のＹ−Ｙ線断面図、図７はソケットカバー単品を示す図である。
【００１２】
これらの図において、ｆはランプユニットであり、ランプカバーｇに覆われ、底筐体ａの開口部に着脱自在に装着される。ランプユニットｆにはランプ電源が供給されるランププラグｈを備え、底筐体ａ側に設置されたランプソケットｅに抜き差し自在に挿着される。ランプユニットｆの装着時にランププラグｈがランプソケットｅに挿着され、プロジェク本体側から電源が供給されてランプが点灯される。
【００１３】
ランプソケットｅの前方には、ソケットカバーｉが本体側に設けられた軸ｋに軸支されて、ランププラグｈの挿入方向と垂直な平面内を回動可能に支持されている。ソケットカバーｉはバネｊが爪ｌとリブｍとの間に装着されて反時計方向に付勢され、ランププラグｈが抜き取られている状態で、ランプソケットｅの前面を覆う位置に保持されている。この状態でソケットカバーｉは活電状態のランプソケットｅを覆い、ユーザが誤ってランプソケットｅに触れて感電することを防ぐ。
【００１４】
一方、図４に示されるように、ランプユニットｆ側には、ランププラグｈの近傍であって、装着時、ソケットカバーｉの腕部分下側の当接部ｘに対応する位置に、傾斜板であるリブｒが支持されている。このリブｒは、垂直面と平行であって、ランププラグｈの挿入方向前方に支持され、上辺部の前端が狭くなるように傾斜している。ランプユニットｆを装着しようとすると、先ず、リブｒの傾斜した辺の部分がソケットカバーｉの当接部ｘに当接し、ランプユニットｆを前進させるに従い、当接部ｘは上昇する。それにつれ、ソケットカバーｉが時計方向に回動し、ランプソケットｅの前面が開放されランププラグｈの挿入が可能となり、ランプユニットｆの装着が完了する時点でランププラグｈの挿着も完了する。
【００１５】
また、ランプユニットｆを取り外す場合は、ランプユニットｆの後退に伴い、ランププラグｈがランプソケットｅから抜けて離間すると、バネｊにより反時計方向に付勢されているソケットカバーｉが反時計方向に回動して、ランプソケットｅの前面を覆う。カバーｉはバネｊにより反時計方向に付勢がある。したがって突起ｐは孔ｎに係止めされる。さらに、装着時にリブｒで下（奥）に押され係り止めが外れ、時計方向に回動できる。なお、ソケットカバーｉの前面に設けられた突起ｐは筐体孔ｎに係合するためのものである。
【００１６】
次に、請求項３の発明に係る実施形態について説明する。図８〜図１５は請求項３の発明に係るプロジェクのランプユニットの装着部を示し、図８はランプユニットを装着した状態の平面図、図９はランプユニットを装着した状態の図８のＸ１−Ｘ１線断面図、図１０はランプユニットを装着した状態の図８のＹ２−Ｙ２線断面図、図１１はランプユニットの装着直前の状態を示す図８のＹ２−Ｙ２線断面図、図１２はランプユニットの装着途中の状態を示す図８のＹ２−Ｙ２線断面図、図１３はソケットカバー単品を示す図、図１４はロック板単品を示す図、図１５はランププラグ単品を示す図である。
【００１７】
これらの図において、ｆはランプユニットであり、ランプカバーｇに覆われ、底筐体ａの開口部に着脱自在に装着される。ランプユニットｆにはランプ電源が供給されるランププラグｈを備え、底筐体ａ側に設置されたランプソケットｅに抜き差し自在に挿着される。ランプユニットｆの装着時にランププラグｈがランプソケットｅに挿着され、プロジェク本体側から電源が供給されてランプが点灯される。
【００１８】
ランプソケットｅの前方には、ソケットカバーｉが本体側に設けられた軸ｋに軸支されて、ランププラグｈの挿入方向前方への回動を可能に支持されている。図１１で説明すると、ソケットカバーｉはバネｊが装着されて反時計方向に付勢され、ランププラグｈが抜き取られている状態で、ランプソケットｅの前面を覆う位置に保持されている。この状態でソケットカバーｉは活電状態のランプソケットｅを覆い、ユーザが誤ってランプソケットｅに触れて感電することを防ぐ。
【００１９】
一方、図１１および図１５に示されるように、ランプユニットｆ側には、ランププラグｈの下側前端に傾斜板であるリブｒが突設されている。このリブｒは、先端が狭くなるように先端下側が傾斜している。他方、図１１および図１４に示されるように、ランプソケットｅの下側には、可撓性を有する部材により形成されたロック板ｔが突設されている。ロック板ｔの先端中央には垂直端面を有する爪ア（第１の爪）が形成され、ランプユニットｆの非装着時にソケットカバーｉの下端内面に当接してソケットカバーｉの時計方向の回動を阻止する。ロック板ｔの先端左右両側には、上面が先端下方に傾斜した爪イ（第２の爪）が形成され、ランプユニットｆの装着時に前進して来るリブｒに当接し、ロック板ｔを湾曲させながら先端を下方に移動させて、爪アのソケットカバーｉとの係合を解除し、ソケットカバーｉの時計方向の回動を可能にする。
【００２０】
このように構成したことで、ランプユニットｆを装着しようとすると、先ず、リブｒの先端が前進してロック板ｔの爪イに当接し、ロック板ｔを湾曲させながら先端を下方に移動させて、爪アのソケットカバーｉとの係合を解除し、ソケットカバーｉの時計方向の回動を可能にする。ランプユニットｆの前進に連れて、ランププラグｈの先端がソケットカバーｉに当接して時計方向に回動する。それにより、ランプソケットｅの前面が開放されランププラグｈの挿入が可能となり、ランプユニットｆの装着が完了する時点でランプソケットｅへのランププラグｈの挿着も完了する。
【００２１】
また、ランプユニットｆを取り外す場合は、ランプユニットｆの後退に伴い、ランププラグｈがランプソケットｅから抜けて離間すると、バネｊにより反時計方向に付勢されているソケットカバーｉが反時計方向に回動して、ランプソケットｅの前面を覆うとともに、ソケットカバーｉの下端がロック板ｔの爪アを乗り越えて、ソケットカバーｉの時計方向の回動を不可能にする。
【００２２】
次に、請求項４の発明に係る実施形態について説明する。図１６〜図２１は請求項４の発明に係るプロジェクタのランプユニットの装着部を示し、図１６はランプユニットを装着した状態の平面図、図１７はランプユニットを抜き取った状態の平面図、図１８はランプユニットを装着した状態の図１６のＹ３−Ｙ３線断面図、図１９はランプユニットの装着直前の状態を示す図１６のＹ３−Ｙ３線断面図、図２０はランプユニットの装着途中の状態を示す図１６のＹ３−Ｙ３線断面図、図２１はソケットカバー単品を示す図である。
【００２３】
これらの図において、ｆはランプユニットであり、ランプカバーｇに覆われ、底筐体ａの開口部に着脱自在に装着される。ランプユニットｆにはランプ電源が供給されるランププラグｈを備え、底筐体ａ側に設置されたランプソケットｅに抜き差し自在に挿着される。ランプユニットｆの装着時にランププラグｈがランプソケットｅに挿着され、プロジェク本体側から電源が供給されてランプが点灯される。
【００２４】
ランプソケットｅの前方には、二山形状のソケットカバーｉが本体側に設けられた案内ｙに滑動自在に支持されて、ランププラグｈの挿入方向と垂直な平面内を往復動自在に支持されている。ソケットカバーｉはバネｊが案内ｙとの間に装着されてランプソケットｅの前方側に付勢され、ランププラグｈが抜き取られている状態で、ランプソケットｅの前面を覆う位置に保持されている。この状態でソケットカバーｉは活電状態のランプソケットｅを覆い、ユーザが誤ってランプソケットｅに触れて感電することを防ぐ。
【００２５】
一方、図１９に示されるように、ランプユニットｆ側には、ランププラグｈの側部前方であって、装着時、ソケットカバーｉの中央谷部の当接部ｚに対応する位置に、傾斜板であるリブｒが支持されている。このリブｒは、垂直面と平行であって、ランププラグｈの挿入方向に支持され、上辺部の前端が狭くなるように傾斜している。ランプユニットｆを装着しようとすると、先ず、リブｒの傾斜した辺の部分がソケットカバーｉの当接部ｚに当接し、ランプユニットｆを前進させるに従い、当接部ｚは上昇する。それにつれ、ソケットカバーｉが後退し、ランプソケットｅの前面が開放されランププラグｈの挿入が可能となり、ランプユニットｆの装着が完了する時点でランププラグｈの挿着も完了する。
【００２６】
また、ランプユニットｆを取り外す場合は、ランプユニットｆの後退に伴い、ランププラグｈがランプソケットｅから抜けて離間すると、バネｊにより前方に付勢されているソケットカバーｉが前進して、ランプソケットｅの前面を覆う。
【００２７】
次に、請求項５の発明に係る実施形態について説明する。図２２〜図２６は請求項５の発明に係るプロジェクのランプユニットの装着部を示し、図２２はランプユニットを装着した状態の平面図、図２３はランプユニットを抜き取った状態の図２２のＸ２−Ｘ２線断面図、図２４はランプユニットを装着した状態の図２２のＹ４−Ｙ４線断面図、図２５はランプユニットの装着直前の状態を示す図２２のＹ４−Ｙ４線断面図、図２６はランプユニットの装着途中の状態を示す図２２のＹ４−Ｙ４線断面図である。
【００２８】
これらの図において、ｆはランプユニットであり、ランプカバーｇに覆われ、底筐体ａの開口部に着脱自在に装着される。ランプユニットｆにはランプ電源が供給されるランププラグｈを備え、底筐体ａ側に設置されたランプソケットｅに抜き差し自在に挿着される。ランプユニットｆの装着時にランププラグｈがランプソケットｅに挿着され、プロジェク本体側から電源が供給されてランプが点灯される。
【００２９】
図２５において、プロジェク本体側のランプソケットｅは、本体側に両端が支持された軸ｋに回動可能に支持されている。ランプソケットｅの上面左端部と本体壁面との間にバネｊが装着されてランプソケットｅを時計方向に付勢し、ランププラグｈが抜き取られている状態で、ランプソケットｅの先端が斜め下方を向いている。この状態で活電状態のランプソケットｅの前端が下を向いているため、ユーザが誤ってランプソケットｅ内の端子ｗに触れて感電することを防ぐ。
【００３０】
一方、ランプユニットｆ側には、ランププラグｈの片側前方であって、装着時、ランプソケットｅの前端下側の当接部ｖに対応する位置に、傾斜板であるリブｒが支持されている。このリブｒは、垂直面と平行であって、ランププラグｈの挿入方向前方に支持され、上辺部の前端が狭くなるように傾斜している。ランプユニットｆを装着しようとすると、先ず、リブｒの傾斜した辺の部分がランプソケットｅの当接部ｖに当接し、ランプユニットｆを前進させるに従い、当接部ｖは上昇する。それにつれ、ランプソケットｅが反時計方向に回動し、ランプソケットｅの前面が現れてランププラグｈの挿入が可能となり、ランプユニットｆの装着が完了する時点でランププラグｈの挿着も完了する。
【００３１】
また、ランプユニットｆを取り外す場合は、ランプユニットｆの後退に伴い、ランププラグｈがランプソケットｅから抜けて離間すると、バネｊにより時計方向に付勢されているランプソケットｅが時計方向に回動して、ランプソケットｅの前面が隠れる。
【００３２】
次に、請求項６の発明に係る実施形態について説明する。上述の各実施形態において、図示しないが、ランプユニットｆの装着位置近傍の本体側に、ランプ電源回路を開閉する常時開型の安全スイッチを設置する。さらに、ランプユニットｆ側に、ランプユニット装着時に前記安全スイッチの接点操作部に当接して安全スイッチを閉成しランプユニットの非装着時に安全スイッチの接点操作部から離間して安全スイッチを開成するスイッチ作動子を設置する。こうして、上述の機構的な感電防止の対策に加えて、電気的に安全対策を施すことで、ランプ交換時の感電防止が確実になる。
【００３３】
【発明の効果】
以上述べたように本発明によれば、ランプユニットによりランプ交換する場合に、ランプユニットを抜き取ったときは、ランプソケットの前面をソケットカバーにより覆いまたはランプソケットの先端を横向きにそらしてランプソケットの端子を覆い、また、ランプユニットを装着するときは、ソケットカバーをランプソケットの前面から移動しまたはランプソケットの先端を前面向きに戻してランプソケットへのランププラグの挿着を可能にしたことで、ランプ交換時にランプソケットの端子が露出して感電することが防止される。さらに、ランプユニットの抜き取り時に作動する安全スイッチを設けたことで、二重に安全対策が施され、ランプ交換時の安全性が向上する。また、これらの感電防止の構造は簡単かつ小型であるため、プロジェクタの小型化にも寄与できる。
【図面の簡単な説明】
【図１】請求項２の発明に係るプロジェクのランプユニットの装着部の平面図である。
【図２】同じくランプユニットを抜き取った状態の平面図である。
【図３】同じくランプユニットを装着した状態の平面図である。
【図４】ランプユニットの装着直前の状態を示す図３のＹ−Ｙ線断面図である。
【図５】ランプユニットの装着状態を示す図３のＹ１−Ｙ１線断面図である。
【図６】ランプユニットの装着状態を示す図３のＹ−Ｙ線断面図である。
【図７】ソケットカバー単品を示す図である。
【図８】請求項３の発明に係るプロジェクのランプユニットの装着部の平面図ある。
【図９】ランプユニットを装着した状態の図８のＸ１−Ｘ１線断面図である。
【図１０】ランプユニットを装着した状態の図８のＹ２−Ｙ２線断面図である。
【図１１】ランプユニットの装着直前の状態を示す図８のＹ２−Ｙ２線断面図である。
【図１２】ランプユニットの装着途中の状態を示す図８のＹ２−Ｙ２線断面図である。
【図１３】ソケットカバー単品を示す図である。
【図１４】ロック板単品を示す図である。
【図１５】ランププラグ単品を示す図である。
【図１６】請求項４の発明に係るプロジェクのランプユニットの装着部の平面図である。
【図１７】同じくランプユニットを抜き取った状態の平面図である。
【図１８】ランプユニットの装着した状態を示す図１６のＹ３−Ｙ３線断面図である。
【図１９】ランプユニットの装着直前の状態を示す図１６のＹ３−Ｙ３線断面図である。
【図２０】ランプユニットの装着途中の状態を示す図１６のＹ３−Ｙ３線断面図である。
【図２１】ソケットカバー単品を示す図である。
【図２２】請求項５の発明に係るプロジェクのランプユニットの装着部の平面図である。
【図２３】ランプユニットを抜き取った状態の図２２のＸ２−Ｘ２線断面図である。
【図２４】ランプユニットを装着した状態の図２２のＹ４−Ｙ４線断面図である。
【図２５】ランプユニットの装着直前の状態を示す図２２のＹ４−Ｙ４線断面図である。
【図２６】ランプユニットの装着途中の状態を示す図２２のＹ４−Ｙ４線断面図である。
【図２７】従来例を示す図である。
【符号の説明】
ａ  底筐体
ｅ  ランプソケット
ｆ  ランプユニット
ｇ  ランプカバー
ｈ  ランププラグ
ｉ  ソケットカバー
ｊ  バネ
ｋ  軸
ｌ  爪
ｍ  リブ
ｎ  筐体孔
ｐ  突起
ｒ  リブ
ｔ  ロック板
ｖ  当接部
ｗ  端子
ｘ  当接部
ｙ  案内
ｚ  当接部
ア  爪（第１の爪）
イ  爪（第２の爪）
【図１】
2004264387.tif 000003
【図２】
2004264387.tif 000004
【図３】
2004264387.tif 000005
【図４】
2004264387.tif 000006
【図５】
2004264387.tif 000007
【図６】
2004264387.tif 000008
【図７】
2004264387.tif 000009
【図８】
2004264387.tif 000010
【図９】
2004264387.tif 000011
【図１０】
2004264387.tif 000012
【図１１】
2004264387.tif 000013
【図１２】
2004264387.tif 000014
【図１３】
2004264387.tif 000015
【図１４】
2004264387.tif 000016
【図１５】
2004264387.tif 000017
【図１６】
2004264387.tif 000018
【図１７】
2004264387.tif 000019
【図１８】
2004264387.tif 000020
【図１９】
2004264387.tif 000021
【図２０】
2004264387.tif 000022
【図２１】
2004264387.tif 000023
【図２２】
2004264387.tif 000024
【図２３】
2004264387.tif 000025
【図２４】
2004264387.tif 000026
【図２５】
2004264387.tif 000027
【図２６】
2004264387.tif 000028
【図２７】
2004264387.tif 000029